(57)【要約】【課題】シャッターカーテンのばたつきを防止できるシャッター付きサッシを提供する。【解決手段】シャッター付きサッシ１は、シャッター３と、障子９又は網戸と、シャッターカーテン支持具４９とを備え、シャッターカーテン支持具４９は、障子９又は網戸の縦框に取付けるベース５１と、ベース５１に取付けるアーム５３と、アーム５３をベース５１に固定する固定部材５５とを有し、アーム５３は、シャッターカーテン４５に対向する室外側端部５３ａを有し、アームの室外側端部５３ａの位置を室内外方向で調整自在としてある。【選択図】図１
2016118054.tif 000002
【特許請求の範囲】
【請求項１】
シャッターと、障子又は網戸と、シャッターカーテン支持具とを備え、シャッターカーテン支持具は、障子又は網戸の縦框に取付けるベースと、ベースに取付けるアームと、アームをベースに固定する固定部材とを有し、アームは、シャッターカーテンに対向する室外側端部を有し、アームの室外側端部の位置を室内外方向で調整自在としてあることを特徴とするシャッター付きサッシ。
【発明の詳細な説明】
【技術分野】
【０００１】
本発明は、シャッター付きサッシに関する。
【背景技術】
【０００２】
図２６に示すように、従来のシャッター付きサッシ１０１は、サッシ１０３或いは網戸１０５の室外側に間隔をあけてシャッターカーテン１０７を設けてある。
【先行技術文献】
【非特許文献】
【０００３】
【非特許文献１】第３１６頁及び第３１７頁「三協アルミ  住宅建材  ウインドウ  総合カタログ  マディオＰ  ２０１３及び２０１４  業務用」カタログＮｏ．ＳＴＪ０８２９Ａ  三協立山株式会社  三協アルミ社  ２０１３年２月発行
【発明の概要】
【発明が解決しようとする課題】
【０００４】
しかし、従来のシャッター付きサッシは、台風等の強風により、シャッターカーテンがばたついて、サッシや網戸（建具）が傷付くことがあった。このことから、シャッター付きサッシでは、シャッターカーテンのばたつきを防止するものが求められていた。
【０００５】
そこで、本発明は、シャッターカーテンのばたつきを防止できるシャッター付きサッシの提供を目的とする。
【課題を解決するための手段】
【０００６】
請求項１に記載の発明は、シャッターと、障子又は網戸と、シャッターカーテン支持具とを備え、シャッターカーテン支持具は、障子又は網戸の縦框に取付けるベースと、ベースに取付けるアームと、アームをベースに固定する固定部材とを有し、アームは、シャッターカーテンに対向する室外側端部を有し、アームの室外側端部の位置を室内外方向で調整自在としてあることを特徴とするシャッター付きサッシである。
【発明の効果】
【０００７】
請求項１に記載の発明によれば、シャッターカーテン支持具のアームの室外側端部の位置を室内外方向で調整してシャッターカーテンに対してつっぱらせて配置することで、シャッターカーテンがばたついてシャッターカーテンとサッシとが衝突することを防止できる。これにより、シャッターカーテンのばたつきにより、サッシに傷が付いたり、ばたつき音が発生したりすることを防止できる。
シャッターカーテン支持具は、アームの室外側端部の位置を室内外方向で調整自在であるから、サッシとシャッターカーテンとの間の見込寸法が異なる場合にあっても、異なる見込寸法のシャッターカーテン支持具を用意する必要がないので、在庫の保管管理コストを低減することができる。
シャッターカーテン支持具は、障子又は網戸の縦框に取付けてあって、シャッターカーテンに取り付けていないので、障子及びシャッターカーテンの破損を防止できる。即ち、シャッターカーテン側にシャッターカーテン支持具を取付けた場合、強風等のシャッターカーテンのばたつきにより、シャッターカーテン支持具の障子又は網戸に対する当接角度が変わったり、シャッターカーテンの左右端部におけるガイドレールの飲み込み位置が変わるため、シャッターカーテン支持具の障子又は網戸に対する当接位置が変わり、障子又は網戸や、シャッターカーテンの破損が生じるおそれがある。更に、シャッターカーテン側にシャッターカーテン支持具を取付けた場合、シャッターの巻き上げ時にシャッターカーテンがばたつくと、シャッターカーテン支持具を巻き込んで、シャッターが破損するおそれがある。
【図面の簡単な説明】
【０００８】
【図１】本発明の第１実施の形態にかかるシャッター付きサッシであって、シャッターカーテン支持具のアームを突出させた状態を、図２のＡ−Ａ位置で切断して示す縦断面図である。
【図２】本発明の第１実施の形態にかかるシャッター付きサッシであって、シャッターカーテン支持具のアームを突出させた状態を示す横断面図である。
【図３】本発明の第１実施の形態にかかるシャッター付きサッシであって、シャッターカーテン支持具のアームを収納した状態を図４のＢ−Ｂ位置で切断して示す縦断面図である。
【図４】本発明の第１実施の形態にかかるシャッター付きサッシであって、シャッターカーテン支持具のアームを収納した状態を示す横断面図である。
【図５】図３に示すシャッターカーテン支持具を取付けた召合せ框を室内側から見た正面図である。
【図６】シャッターカーテン支持具にカバーを取付けた状態を示す図であり、（ａ）は室内側から見た正面図、（ｂ）は側面図、（ｃ）は上から見た平面図である。
【図７】図３に示すシャッターカーテン支持具を収納状態から突出状態への操作を示す図であり、シャッターカーテン支持具を取付けた召合せ框の側面図である。
【図８】第１実施の形態において、突出状態にあるアームが最大室内側位置へ寄せた状態を示す図であり、（ａ）は縦断面図、（ｂ）は横断面図である。
【図９】図１に示すベースの図であり、（ａ）は室内側から見た正面図、（ｂ）は側面図、（ｃ）は平面図である。
【図１０】図１に示すアームの図であり、（ａ）は室内側から見た正面図、（ｂ）は側面図、（ｃ）は平面図である。
【図１１】図６に示すカバーの図であり、（ａ）は室内側から見た正面図、（ｂ）は側面図、（ｃ）は平面図である。
【図１２】本発明の第２実施の形態にかかるシャッター付きサッシであって、シャッターカーテン支持具のアームを突出させた状態を図１３に示すＣ−Ｃ位置で切断して示す縦断面図である。
【図１３】本発明の第２実施の形態にかかるシャッター付きサッシであって、シャッターカーテン支持具のアームを突出させた状態を示す横断面図である。
【図１４】本発明の第２実施の形態にかかるシャッター付きサッシであって、シャッターカーテン支持具のアームを収納した状態を図１５のＤ−Ｄ位置で切断して示す縦断面図である。
【図１５】本発明の第２実施の形態にかかるシャッター付きサッシであって、シャッターカーテン支持具のアームを収納した状態を示す横断面図である。
【図１６】図１４に示すシャッターカーテン支持具を取付けた召合せ框を室内側から見た正面図である。
【図１７】第２実施の形態において、突出状態にあるアームが最大室内側位置へ寄せた状態を示す図であり、（ａ）は縦断面図、（ｂ）は横断面図である。
【図１８】図１２に示すベースの図であり、（ａ）は室内側から見た正面図、（ｂ）は平面図、（ｃ）は側面図である。
【図１９】図１２に示すアームの図であり、（ａ）は正面図、（ｂ）は側面図、（ｃ）は平面図である。
【図２０】本発明の第１実施の形態にかかるシャッター付きサッシで使用するシャッターカーテン支持具の変形例を示す図であり、（ａ）は室内側から見た正面図、（ｂ）は側面図、（ｃ）は平面図、（ｄ）はアームを収納状態から突出状態への操作を示す側面図である。
【図２１】図２０に示すベースの図であり、（ａ）は室内側から見た正面図、（ｂ）は側面図、（ｃ）は平面図である。
【図２２】図２０に示すアームの図であり、（ａ）は室内側から見た正面図、（ｂ）は側面図、（ｃ）は平面図である。
【図２３】本発明の第１実施の形態にかかるシャッター付きサッシで使用するシャッターカーテン支持具の変形例を示す図であり、（ａ）は室内側から見た正面図、（ｂ）は側面図、（ｃ）は平面図、（ｄ）はアームを収納状態から突出状態への操作を示す側面図である。
【図２４】図２３に示すベースの図であり、（ａ）は室内側から見た正面図、（ｂ）は側面図、（ｃ）は平面図である。
【図２５】図２３に示すアームの図であり、（ａ）は室内側から見た正面図、（ｂ）は側面図、（ｃ）は平面図である。
【図２６】従来のシャッター付きサッシの図であり、（ａ）は縦断面図、（ｂ）は横断面図である。
【発明を実施するための形態】
【０００９】
以下に、添付図面を参照して本発明の実施の形態を説明する。  
図１〜図１１を参照して本発明の第１実施の形態について説明する。  
本発明の第１実施の形態にかかるシャッター付きサッシ２は、図１〜図４に示すように、引き違いサッシ１及び引き違いサッシ１の室外側に設けたシャッター３とから構成されている。引き違いサッシ１は、躯体開口部に取り付けられた枠５内に内障子７及び外障子９が納めてある。枠５は、上枠１１と下枠１３と左右の竪枠１５ａ，１５ｂとを枠組みしてある。  
内障子７は、図１及び図２に示すように、上框１７ａ、下框１９ａ、戸先框２１ａ及び召合せ框２３ａを框組し、その内側に複層ガラス２５ａを保持してある。同様に、外障子９も、上框１７ｂ、下框１９ｂ、戸先框２１ｂ及び召合せ框２３ｂを框組し、その内側に複層ガラス２５ｂを保持してある。  
また、図２に示すように、外障子９の室外側には、網戸４７を枠５に取り付けてある。網戸４７は、上框４６ａ、下框４６ｂ（図１参照）及び縦框４８ａ、４８ｂを組んで網戸框５０を構成しており、網５２を網戸框５０に張架してある。  
【００１０】
図１に示すように、シャッター３は、サッシ１の上枠１１上に取り付けて、シャッターカーテン４５を巻き取りにより格納する格納部３７を備えている。また、サッシ１の下枠１３にはシャッター下枠２９が設けてあり、サッシ１の各竪枠１５ａ，１５ｂにはシャッター竪枠３１ａ、３１ｂが設けてある。図２に示すように、左右の各シャッター竪枠３１ａ、３１ｂには、格納部３７から引き出したシャッターカーテン４５の移動を案内するガイドレール４１ａ、４１ｂが設けてある。また、図１に示すように、シャッターカーテン４５は、互いに上下に連結した複数のスラット３９と、最下部に設けた座板４３を備えている。
【００１１】
図１〜図４に示すように、外障子９の召合せ框２３ｂの見込み面に、シャッターカーテン支持具４９を取り付けてある。シャッターカーテン支持具４９は、ベース５１と、アーム５３とで構成してある。  
図５及び図９に示すように、ベース５１は、脚部６０ａと、アーム載置面６０ｂとを有し、脚部６０ａを召合せ框２３ｂの見込み面にねじ５４で固定してあり、アーム載置面６０ｂには、召合せ框の見込面から離れた位置でアーム５３を重ねてある。  
図１及び図９に示すように、ベース５１には、アーム５３の室内方向への移動を規制する室内方向移動規制部５７と、アーム５３の回動を規制する回動規制部５９と、アーム５３に係止する被係止部５６が設けてある。室内方向移動規制部５７は、ベース５１の室内側端部で外障子９の外周側に向けて突設した壁部である。回動規制部５９は、アーム５３がシャッターカーテン４５を支持する位置にあるときに、ベース５１の室外側で且つアーム５３の下側に突設した壁部であり、アーム５３の下端を受けて、アームが下がるのを防止している。  
ベース５１のアーム載置面６０ｂには、固定部材５５を螺合する雌ネジ孔６０ｃが形成してある。  
【００１２】
図５に示すように、アーム５３は、板材であり、固定部材５５によりベース５１のアーム載置面６０ｂに取付けてある。固定部材５５はねじであり、固定部材５５にはねじの締め付け又は緩み操作をする摘み５５ａを設けている。  
アーム５３は、図１及び図２に示すように、シャッターカーテン４５を支持する位置にあるときに、シャッターカーテン４５に対向する室外側端部５３ａを有し、アーム５３の室外側端部５３ａには、緩衝材５３ｅが設けてある。緩衝材５３ｅは、軟質のクッション材である。図１０に示すように、アーム５３は、長手方向に沿って長く形成した長孔５３ｂを有し、この長孔５３ｂ内に固定部材５５の軸部５５ｂを挿通するようになっている。また、アーム５３には長手方向に溝状のリブ５３ｃが形成してあり、アーム５３を補強してある。図１０（ｂ）に示すように、アーム５３の長孔５３ｂとリブ５２ｃとの間には、アーム５３のベース側面にはその長手方向に並んだ多数の凹凸６５が形成してある。  
【００１３】
また、シャッターカーテン支持具４９は、図６及び図１１に示すように、シャッターカーテン支持具４９の非使用時にはカバー６１を装着してカバー６１で覆っている。尚、このカバー６１には、シャッターカーテン支持具４９の説明を記載している説明ラベル６３が貼付してある。
【００１４】
次に、シャッターカーテン支持具４９の操作及び作用効果について説明する。  
シャッターカーテン支持具４９は、アーム５３を収納した状態では、図３及び図５に示すようにシャッターカーテン支持具４９のアーム５３を召合せ框２３ｂの見込面で、長手方向に沿って垂下してあり、その位置で固定部材５５を締め付けてベース５１に固定している。このアーム収納状態では、図６に示すように、カバー６１を装着してシャッターカーテン支持具４９を覆っている。また、この状態では、シャッターカーテン支持具４９及びカバー６１は、外障子９の召合せ框２３ｂの見込面内に位置しており、引き違いサッシ１の内障子７及び外障子９の開閉に障害とならず、自在に引き違いサッシ１を開閉することができる。  
【００１５】
シャッターカーテン４５の使用時には、シャッター格納部３７からシャッターカーテン４５をガイドレール４１ａ、４１ｂに沿って引き下げるようにして引き出す。  
そして、シャッターカーテン支持具４９でシャッターカーテン４５を支持するときには、シャッターカーテン支持具４９を覆うカバー６１を取り外し、図３及び図４に示すようにシャッターカーテン支持具４９を露出する。  
次に、図７に示すように、固定部材５５の摘み５５ａを回して固定部材５５を緩め、アーム５３を少し上方へ移動させた後、アーム５３に取り付けてある緩衝材５３ｅを室外側に倒すように回動する。このときアーム５３は、水平位置になるとその下端が回動規制部５９に当接してそれ以上の回動が規制され、アーム５３を略水平に支持して室外側端部５３ａをシャッターカーテン４５に対向する。  
そして、アーム５３を室内外方向にスライドしてアーム５３の室外側端部５３ａに設けた緩衝材５３ｅをシャッターカーテン４５に当接するように位置を調整し、緩衝材５３ｅをシャッターカーテン４５に当接した位置で摘み５５ａを回動して固定部材５５のねじを締めてアーム５３をベース５１に固定する。  
一方、シャッターカーテン支持具４のアーム収納時には、摘み５５ａを回動して固定部材５５のねじを緩めてアーム５３をベース５１側へ移動し、図３に示すように、回動してアーム５３をその長手方向を垂下させるようにした後、固定部材５５でアーム５３をベース５１に固定し、その後、図６に示すようにカバー６１で覆うことによって初期状態に戻す。  
【００１６】
図１及び図２に示すように、本実施の形態にかかるシャッター付きサッシ２によれば、シャッターカーテン支持具４９のアーム５３の室外側端部５３ａの位置を室内外方向で調整してシャッターカーテン４５に対してつっぱらせて配置することができる。従って、強風等でシャッターカーテン４５がばたついてシャッターカーテン４５とサッシ１とが衝突することを防止できる。これにより、シャッターカーテン４５のばたつきにより、サッシ１に傷が付いたり、ばたつき音が発生したりすることを防止できる。  
シャッターカーテン支持具４９は、アーム５３の室外側端部の位置を室内外方向で調整自在であるから、サッシ１とシャッターカーテン４５との間の見込寸法が異なる場合にあっても、異なる見込寸法のシャッターカーテン支持具４９を用意する必要がないので、在庫の保管管理コストを低減することができる。  
シャッターカーテン支持具４９は、外障子９の召合せ框２３ｂに取付けてあって、シャッターカーテン４５に取り付けていないので、外障子９、内障子７やシャッターカーテン４５の破損を防止できる。即ち、シャッターカーテン４５にシャッターカーテン支持具４９を取付けた場合、強風等によりシャッターカーテン４５がばたついたときに、シャッターカーテン支持具４９が障子７、９に対する当接角度が変わったり、シャッターカーテン４５の左右端部におけるガイドレール４１ａ、４１ｂの飲み込み位置が変わるためシャッターカーテン支持具４９の障子７、９に対する当接位置が変わり、障子７、９や、シャッターカーテン４５の破損が生じるおそれがある。更に、シャッターカーテン４５側にシャッターカーテン支持具４９を取付けた場合、シャッターカーテン４５の巻き上げ時にシャッターカーテン４５がばたつくと、シャッターカーテン支持具４９を巻き込んで、シャッターが破損するおそれがあるが、本実施の形態によればそのような不都合が生じない。  
【００１７】
また、シャッターカーテン４５に風圧が作用して、シャッターカーテン４５に当接しているアーム５３の室外側端部５３ａに衝撃が加わり、アーム５３がベース５１に対して室内側へ押されるがアーム５３の下面に設けた凹凸６５に被係止部５６が係止しているので、ベース５１に対するアーム５３の位置ずれを防止できる。
更に、ベース５１には、室内方向移動規制部５７を設けているので、アーム５３が万が一、室内側へ移動しようとすると、室内方向移動規制部５７に当接してそれ以上室内側へ移動するのが阻止されるので、アーム５３が室内側へ移動して内障子７に当接し、内障子を損傷するのを防止できる。  
【００１８】
図１及び図７に示すように、ベース５１には、回動規制部５９を設けて、アーム５３が水平位置よりも下がるのを規制しているから、アームの５３の水平位置の設定が容易にできる。  
アーム５３を収納状態と突設状態とに操作可能にしているので、アーム５３が障子の開閉の邪魔にならないで済む。  
固定部材５５のねじに摘み５５ａを設けて、アーム５３を固定しているから、工具なしで固定部材５５のねじを操作できるので、シャッターカーテン支持具４の操作性を良くすることができる。  
シャッターカーテン支持具４の非使用時においては、常時シャッターカーテン支持具４をサッシ１に取付け状態にしたままにしてあるので、非使用時における保管管理を不要にすることができる。  
シャッターカーテン支持具４９を覆うカバー６１を設けることによって、カバー６１に説明ラベルを張り付けておくことができる。カバー６１を設けることで意匠性が良好とすることができる。また、説明ラベル６３を設けることで操作方法の失念を防止することができる。  
アーム５３の室外側端には、緩衝材５３ｅを設けているので、シャッターがばたついたときに緩衝材５３ｅがシャッターカーテン４５に当接するから、シャターカーテンが傷つくのを防止できると共にシャッターカーテン４５との衝突を繰り返したとしてもその衝突によるばたつき音を抑制できる。  
【００１９】
以下に、本発明の他の実施の形態を説明するが、以下の説明では、上述した第１の実施の形態と同一の作用効果を奏する部分は同一の符号を付することにより、その部分の詳細な説明を省略する。以下の説明では、第１の実施の形態と主に異なる点を主に説明する。  
図１２〜図１９に第２の実施の形態に係るシャッター付きサッシ１を示す。図１２〜図１７に示すように、この第２実施の形態では、シャッターカーテン支持具４９は、網戸４７の縦框４８ｂに取り付けてある。図１３及び図１５に示すように、縦框４８ｂには、室外側で網戸框５０の外周側へ突設する室外側片４２ａと室内側で外周側に突設する室内側片４２ｂとが形成してある。  
図１３及び図１５に示すように、シャッターカーテン支持具４９のベース５１は、縦框４８ｂの見込み面内で縦框４８ｂに取り付けてあり、図１８に示すように、ベース５１には縦框４８の室外側片４２ａの室外側見付け面に重なる室外側見付け面部５１ａと、室外側片４２ａの室内側面に重なる室内側見付け面部５１ｂと、室内側片４２ｂの室外側見付け面に重なる室内側突設部５１ｃとを有しており、室内側見付け面部５１ｂと室内側突設部５１ｃとの間には、矩形のナット５１ｄが設けてある。  
そして、図１３及び図１５に示すように、固定部材５５の軸部５５ｂをナット５１ｄに螺合して回すことで、ナット５１ｄが室内側見付け面部５１ｂと室内側突設部５１ｃとを押し広げて、ベース５１を網戸４７の縦框４８ｂに固定してある。  
【００２０】
図１４に示すように、アーム５３は、網戸４７の縦框４８ｂの見込範囲の中心から室外側へずれた位置で固定部材５５により止めてあり、縦框４８ｂから室内側へ突出しないように、網戸４７より室外側へ偏心した状態でベース５１に取付けてある。  
図１７に示すように、この第２実施の形態では、アーム５３は、室内側へ最大限の位置までスライドしてもその室内側端が内障子７の複層ガラス２５ｂに当接しないスライド長さに長孔５３ｂの寸法を定めてある。  
【００２１】
図１４及び図１６に示すように、第２実施の形態にかかるシャッター付きサッシ２によれば、シャッターカーテン支持具４９がアーム収納状態にあるときに、シャッターカーテン支持具４９は、網戸４７の縦框４８ｂの見込み面内で室内側へ突出しないように、網戸より室外側へ偏心した状態でベースに取付けている。従って、アーム５３を突出させた状態及び収納した状態で、引き違いサッシ１の内障子７及び外障子９の開閉に障害とならず、引き違いサッシ１を開閉することができる。  
図１７に示すように、シャッターカーテン４５のアーム突出状態にあるときには、アーム５３が室内側へ最大にスライドする位置で、アーム５３の室内側端が室内障子７に当接しない位置となるように長孔５３ｂを設定しているから、アーム５３の室内側端が複層ガラス２５ａを破損するような事態を防止することができる。  
【００２２】
本発明は、上述した実施の形態に限らず、本発明の要旨を逸脱しない範囲で種々変形可能である。  
例えば、図２０〜図２２に示すように、室内方向移動規制部５７はベース５１に設けることに限らず、アーム５３に設けても良い。即ち、室内方向移動規制部５７は、アーム５３の裏面に突設して設け、アーム５３が室内側へ移動しようとするとベース５１の縁に当接して室内側への移動を規制するものであっても良い。  
また、図２３〜図２４に示すように、室内方向移動規制部５７はアーム５３の縁に設けた片としても良く、ベース５１の室外側端に係止して、室内側へ移動するのを規制するようにしても良い。  
固定部材５５は、離脱不能にベース５１に螺合させても良い。この場合、ねじの先端をカシメるか、或いは、離脱不能なナットに係合する構成とする。  
シャッターカーテン支持具４９は、引き違い障子の召合せ框２３に取り付けることに限らず、片引きサッシの召合せ框に取り付けるものであっても良いし、４枚引きサッシ等の障子の縦框に設けるものであっても良い。  
また、シャッターカーテン支持具４９は、一つの縦框において、上下２箇所や３箇所等の複数個所に設けるものであってもよい。  
緩衝材５３ｅは、アーム５３に固定することに限らず、アーム５３に着脱自在としても良い。この場合、シャッターカーテン支持具４９がアーム収納状態にあるときには、緩衝材５３ｅを取り外して保管することができる。  
【符号の説明】
【００２３】
２    シャッター付きサッシ
３    シャッター
９    外障子
２３ｂ  召合せ框（縦框）
４５  シャッターカーテン
４７  網戸
４９  シャッターカーテン支持具
５１  ベース
５３  アーム
５３ａ  室外側端部
５５  固定部材
【図１】
2016118054.tif 000003
【図２】
2016118054.tif 000004
【図３】
2016118054.tif 000005
【図４】
2016118054.tif 000006
【図５】
2016118054.tif 000007
【図６】
2016118054.tif 000008
【図７】
2016118054.tif 000009
【図８】
2016118054.tif 000010
【図９】
2016118054.tif 000011
【図１０】
2016118054.tif 000012
【図１１】
2016118054.tif 000013
【図１２】
2016118054.tif 000014
【図１３】
2016118054.tif 000015
【図１４】
2016118054.tif 000016
【図１５】
2016118054.tif 000017
【図１６】
2016118054.tif 000018
【図１７】
2016118054.tif 000019
【図１８】
2016118054.tif 000020
【図１９】
2016118054.tif 000021
【図２０】
2016118054.tif 000022
【図２１】
2016118054.tif 000023
【図２２】
2016118054.tif 000024
【図２３】
2016118054.tif 000025
【図２４】
2016118054.tif 000026
【図２５】
2016118054.tif 000027
【図２６】
2016118054.tif 000028